【手続補正書】
【提出日】令和1年5月31日(2019.5.31)
【手続補正１】
【補正対象書類名】特許請求の範囲
【補正対象項目名】全文
【補正方法】変更
【補正の内容】
【特許請求の範囲】
【請求項１】
固定体側シール収容部を有する固定体と、回転体側シール収容部を有し前記固定体に対して回転可能に設けられた回転体と、前記固定体と前記回転体との間に形成された軸方向の隙間をシールするフローティングシールとを備え、
前記固定体側シール収容部は、軸方向に伸長しつつ径方向内向きに傾斜した固定体側傾斜面と、前記固定体側傾斜面の奥部に配置され前記回転体の軸中心に対して直交した固定体側奥壁面とを有し、
前記回転体側シール収容部は、軸方向に伸長しつつ径方向内向きに傾斜した回転体側傾斜面と、前記回転体側傾斜面の奥部に配置され前記回転体の軸中心に対して直交した回転体側奥壁面とを有し、
前記フローティングシールは、前記固定体側シール収容部と前記回転体側シール収容部とにそれぞれ配置され互いに摺接するシール面を有する一対の円筒状の鉄リングと、前記一対の鉄リングのうち前記固定体側の鉄リングの外周面と前記固定体側傾斜面との間および前記回転体側の鉄リングの外周面と前記回転体側傾斜面との間にそれぞれ設けられた一対のＯリングとからなるメカニカルシール装置において、
弾性体を用いて環状に形成され前記固定体側奥壁面に前記固定体側のＯリングとの間に間隔をもって設けられた固定体側バックアップリングと、
弾性体を用いて環状に形成され前記回転体側奥壁面に前記回転体側のＯリングとの間に間隔をもって設けられた回転体側バックアップリングとを備え、
前記固定体側バックアップリングは、前記固定体側傾斜面の奥部側に当接する固定体側傾斜面当接部と前記固定体側奥壁面に当接する固定体側奥壁面当接部とを含んで構成され、
前記回転体側バックアップリングは、前記回転体側傾斜面の奥部側に当接する回転体側傾斜面当接部と前記回転体側奥壁面に当接する回転体側奥壁面当接部とを含んで構成され、
前記一対の鉄リングのうち前記固定体側の鉄リングは、前記固定体側のＯリングを挟んで前記固定体側傾斜面と対面した傾斜面と、前記傾斜面から前記隙間寄りの部位に形成され軸方向端面が前記シール面となった大径鍔部と、傾斜面を挟んで前記大径鍔部とは反対側に形成された小径鍔部とを含んで構成され、
前記一対の鉄リングのうち前記回転体側の鉄リングは、前記回転体側のＯリングを挟んで前記回転体側傾斜面と対面した傾斜面と、前記傾斜面から前記隙間寄りの部位に形成され軸方向端面が前記シール面となった大径鍔部と、傾斜面を挟んで前記大径鍔部とは反対側に形成された小径鍔部とを含んで構成され、
前記固定体側バックアップリングのうち前記固定体側のＯリングと対向するＯリング側端面は、前記固定体側の鉄リングの前記小径鍔部の軸方向端面よりも前記大径鍔部側に寄った位置に配置され、
前記回転体側バックアップリングのうち前記回転体側のＯリングと対向するＯリング側端面は、前記回転体側の鉄リングの前記小径鍔部の軸方向端面よりも前記大径鍔部側に寄った位置に配置されていることを特徴とするメカニカルシール装置。
【請求項２】
前記固定体側奥壁面および前記回転体側奥壁面には軸方向に凹陥する凹陥部がそれぞれ設けられ、
前記固定体側バックアップリングおよび前記回転体側バックアップリングの内径寸法は、前記各鉄リングの前記小径鍔部の外径寸法よりも大きく設定され、
前記固定体側バックアップリングの前記固定体側奥壁当接面部および前記回転体側バックアップリングの前記回転体側奥壁面当接部には、前記各凹陥部に挿入される軸方向突起がそれぞれ一体的に設けられていることを特徴とする請求項１に記載のメカニカルシール装置。
【手続補正２】
【補正対象書類名】明細書
【補正対象項目名】００１１
【補正方法】変更
【補正の内容】
【００１１】
本発明の特徴は、弾性体を用いて環状に形成され前記固定体側奥壁面に前記固定体側のＯリングとの間に間隔をもって設けられた固定体側バックアップリングと、弾性体を用いて環状に形成され前記回転体側奥壁面に前記回転体側のＯリングとの間に間隔をもって設けられた回転体側バックアップリングとを備え、前記固定体側バックアップリングは、前記固定体側傾斜面の奥部側に当接する固定体側傾斜面当接部と前記固定体側奥壁面に当接する固定体側奥壁面当接部とを含んで構成され、前記回転体側バックアップリングは、前記回転体側傾斜面の奥部側に当接する回転体側傾斜面当接部と前記回転体側奥壁面に当接する回転体側奥壁面当接部とを含んで構成され、前記一対の鉄リングのうち前記固定体側の鉄リングは、前記固定体側のＯリングを挟んで前記固定体側傾斜面と対面した傾斜面と、前記傾斜面から前記隙間寄りの部位に形成され軸方向端面が前記シール面となった大径鍔部と、傾斜面を挟んで前記大径鍔部とは反対側に形成された小径鍔部とを含んで構成され、前記一対の鉄リングのうち前記回転体側の鉄リングは、前記回転体側のＯリングを挟んで前記回転体側傾斜面と対面した傾斜面と、前記傾斜面から前記隙間寄りの部位に形成され軸方向端面が前記シール面となった大径鍔部と、傾斜面を挟んで前記大径鍔部とは反対側に形成された小径鍔部とを含んで構成され、前記固定体側バックアップリングのうち前記固定体側のＯリングと対向するＯリング側端面は、前記固定体側の鉄リングの前記小径鍔部の軸方向端面よりも前記大径鍔部側に寄った位置に配置され、前記回転体側バックアップリングのうち前記回転体側のＯリングと対向するＯリング側端面は、前記回転体側の鉄リングの前記小径鍔部の軸方向端面よりも前記大径鍔部側に寄った位置に配置されていることにある。
【手続補正３】
【補正対象書類名】明細書
【補正対象項目名】００４３
【補正方法】変更
【補正の内容】
【００４３】
固定体側バックアップリング３２は、例えばポリエチレン、ポリアミド等の固定体側Ｏリング３０よりも硬い工業用プラスチック材料を用いて環状に形成され、固定側ハウジング１３の固定体側傾斜面１３Ｆの奥部側（固定体側奥壁面１３Ｇ側）に当接（密着）する固定体側傾斜面当接部としての傾斜面当接部３２Ａと、固定体側奥壁面１３Ｇに当接（密着）する固定体側奥壁面当接部としての奥壁面当接部３２Ｂとを有している。
【手続補正４】
【補正対象書類名】明細書
【補正対象項目名】００４８
【補正方法】変更
【補正の内容】
【００４８】
回転体側バックアップリング３４も、固定体側バックアップリング３２と同じ工業用プラスチック材料を用いて環状に形成され、回転側ハウジング１５の回転体側傾斜面１５Ｆの奥部側（回転体側奥壁面１５Ｇ側）に当接（密着）する回転体側傾斜面当接部としての傾斜面当接部３４Ａと、回転体側奥壁面１５Ｇに当接（密着）する回転体側奥壁面当接部としての奥壁面当接部３４Ｂとを有している。
【手続補正５】
【補正対象書類名】明細書
【補正対象項目名】００７９
【補正方法】変更
【補正の内容】
【００７９】
しかし、本発明はこれに限るものではなく、例えば図１１に示す変形例のような固定体側バックアップリング３７、回転体側バックアップリング３８を用いてもよい。即ち、固定体側傾斜面当接部としての傾斜面当接部３７Ａと、固定体側奥壁面当接部としての奥壁面当接部３７Ｂと、軸方向突起３７Ｃとを有し、軸方向突起３７Ｃの外周側にフランジ部３７Ｄが設けられた固定体側バックアップリング３７と、回転体側傾斜面当接部としての傾斜面当接部３８Ａと、回転体側奥壁面当接部としての奥壁面当接部３８Ｂと、軸方向突起３８Ｃとを有し、軸方向突起３８Ｃの外周側にフランジ部３８Ｄが設けられた回転体側バックアップリング３８を用いてもよい。この場合、固定体側バックアップリング３７のフランジ部３７Ｄを、固定側ハウジング１３の固定体側凹陥部１３Ｈの内周面に設けられた円周溝１３Ｋに係合させることにより、固定側ハウジング１３に固定体側バックアップリング３７を保持することができ、固定体側バックアップリング３７の組付け性を高めることができる。一方、回転体側バックアップリング３８のフランジ部３８Ｄを、回転側ハウジング１５の回転体側凹陥部１５Ｈの内周面に設けられた円周溝１５Ｋに係合させることにより、回転側ハウジング１５に回転体側バックアップリング３８を保持することができ、回転体側バックアップリング３８の組付け性を高めることができる。
【手続補正６】
【補正対象書類名】明細書
【補正対象項目名】００８２
【補正方法】変更
【補正の内容】
【００８２】
１３  固定側ハウジング（固定体）
１３Ｅ  固定体側シール収容部
１３Ｆ  固定体側傾斜面
１３Ｇ  固定体側奥壁面
１３Ｈ  固定体側凹陥部
１５  回転側ハウジング（回転体）
１５Ｅ  回転体側シール収容部
１５Ｆ  回転体側傾斜面
１５Ｇ  回転体側奥壁面
１５Ｈ  回転体側凹陥部
２０  隙間
２６  メカニカルシール装置
２７  フローティングシール
２８  固定体側鉄リング
２８Ａ，２９Ａ  傾斜面
２８Ｂ，２９Ｂ  大径鍔部
２８Ｃ，２９Ｃ  小径鍔部
２８Ｄ，２９Ｄ  シール面
２８Ｅ，２９Ｅ  軸方向端面
２９  回転体側鉄リング
３０  固定体側Ｏリング
３１  回転体側Ｏリング
３２，３７  固定体側バックアップリング
３２Ａ，３７Ａ  傾斜面当接部（固定体側傾斜面当接部）
３２Ｂ，３７Ｂ  奥壁面当接部（固定体側奥壁面当接部）
３４Ａ，３８Ａ  傾斜面当接部（回転体側傾斜面当接部）
３４Ｂ，３８Ｂ  奥壁面当接部（回転体側奥壁面当接部）
３２Ｄ，３４Ｄ，３７Ｃ，３８Ｃ  軸方向突起
３３，３５  間隔
３４，３８  回転体側バックアップリング